(57)【要約】【課題】  ソフトウェア的な処理により操作性の向上を実現した画像形成装置を提供する。【解決手段】  情報の入力の受付け、及び、情報の出力表示の少なくとも一方を行う『情報入出力部』を表示画面（７）に表示する際の表示位置を特定するための表示位置情報を記憶する表示位置情報記憶手段と、表示位置情報を設定する設定手段と、設定手段により設定された表示位置情報を、表示位置情報記憶手段に登録し、表示位置情報記憶手段に記憶された表示位置情報を基に、表示画面（７）に表示する『情報入出力部』の表示位置を特定し、該特定した表示位置に『情報入出力部』を表示する表示手段と、を有することを特徴とする。【選択図】  図５
2007081977.tif 000002
【特許請求の範囲】
【請求項１】
情報の入力の受付け、及び、情報の出力表示の少なくとも一方を行う情報入出力部を表示画面に表示する際の表示位置を特定するための表示位置情報を記憶する表示位置情報記憶手段と、
前記表示位置情報を設定する設定手段と、
前記設定手段により設定された表示位置情報を、前記表示位置情報記憶手段に登録し、前記表示位置情報記憶手段に記憶された表示位置情報を基に、前記表示画面に表示する前記情報入出力部の表示位置を特定し、該特定した表示位置に前記情報入出力部を表示する表示手段と、
を有することを特徴とする画像形成装置。
【請求項２】
情報の入力の受付け、及び、情報の出力表示を行う情報入出力部を表示画面に表示する際の表示位置を特定するための表示位置情報を記憶する表示位置情報記憶手段と、
前記表示位置情報を設定する設定手段と、
前記設定手段により設定された表示位置情報を、前記表示位置情報記憶手段に登録し、前記表示位置情報記憶手段に記憶された表示位置情報を基に、前記表示画面に表示する前記情報入出力部の表示位置を特定し、該特定した表示位置に前記情報入出力部を表示する表示手段と、
を有することを特徴とする情報処理装置。
【請求項３】
情報の入力の受付け、及び、情報の出力表示の少なくとも一方を行う情報入出力部を表示画面に表示する際の表示位置を特定するための表示位置情報を記憶する表示位置情報記憶手段と、前記表示位置情報を設定する設定手段と、を有する画像形成装置で行う表示処理方法であって、
前記設定手段により設定された表示位置情報を、前記表示位置情報記憶手段に登録し、前記表示位置情報記憶手段に記憶された表示位置情報を基に、前記表示画面に表示する前記情報入出力部の表示位置を特定し、該特定した表示位置に前記情報入出力部を表示する表示工程を、前記画像形成装置が行うことを特徴とする表示処理方法。
【請求項４】
情報の入力の受付け、及び、情報の出力表示を行う情報入出力部を表示画面に表示する際の表示位置を特定するための表示位置情報を記憶する表示位置情報記憶手段と、前記表示位置情報を設定する設定手段と、を有する情報処理装置で行う表示処理方法であって、
前記設定手段により設定された表示位置情報を、前記表示位置情報記憶手段に登録し、前記表示位置情報記憶手段に記憶された表示位置情報を基に、前記表示画面に表示する前記情報入出力部の表示位置を特定し、該特定した表示位置に前記情報入出力部を表示する表示工程を、前記情報処理装置が行うことを特徴とする表示処理方法。
【請求項５】
情報の入力の受付け、及び、情報の出力表示の少なくとも一方を行う情報入出力部を表示画面に表示する際の表示位置を特定するための表示位置情報を記憶する表示位置情報記憶手段と、前記表示位置情報を設定する設定手段と、を有する画像形成装置で実行させる表示処理プログラムであって、
前記設定手段により設定された表示位置情報を、前記表示位置情報記憶手段に登録し、前記表示位置情報記憶手段に記憶された表示位置情報を基に、前記表示画面に表示する前記情報入出力部の表示位置を特定し、該特定した表示位置に前記情報入出力部を表示する表示処理を、前記画像形成装置に実行させることを特徴とする表示処理プログラム。
【請求項６】
情報の入力の受付け、及び、情報の出力表示を行う情報入出力部を表示画面に表示する際の表示位置を特定するための表示位置情報を記憶する表示位置情報記憶手段と、前記表示位置情報を設定する設定手段と、を有する情報処理装置で実行させる表示処理プログラムであって、
前記設定手段により設定された表示位置情報を、前記表示位置情報記憶手段に登録し、前記表示位置情報記憶手段に記憶された表示位置情報を基に、前記表示画面に表示する前記情報入出力部の表示位置を特定し、該特定した表示位置に前記情報入出力部を表示する表示処理を、前記情報処理装置に実行させることを特徴とする表示処理プログラム。
【発明の詳細な説明】
【技術分野】
【０００１】
本発明は、表示画面に表示する情報を制御する画像形成装置、情報処理装置、その画像形成装置、情報処理装置で行う表示処理方法及び表示処理プログラムに関し、特に、ＬＣＤ（Liquid Crystal Displey）やＣＲＴ（Cathode Ray Tube）を使用した機器に好適な画像形成装置、情報処理装置、表示処理方法及び表示処理プログラムに関するものである。
【背景技術】
【０００２】
近年、アクセシビリティといった言葉がもてはやされており、高齢者、障害者のみならず、女性や子供に対しても操作の簡単な機器が求められている。
【０００３】
また、米国のリハビリテーション法では、アクセシビリティの低い機器は、入札権利すら与えられず、アクセシビリティの向上が至上命題と言っても過言ではない。なお、ＭＦＰ（Multi・Functional Peripheral）等の画像形成装置においても上記の問題は例外ではなく、障害者、高齢者に対しても操作の簡単な機器が求められているのが現状である。
【０００４】
このようなことから、本発明より先に出願された技術文献として、情報の入力もしくは出力を行う情報入出力部を支持手段により位置を自在に移動させることで、全てのユーザに対する快適な使用性を実現している画像形成装置が開示された文献がある（例えば、特許文献１参照）。
【０００５】
また、操作部、表示部を任意位置に配設または任意角度に設定可能とすることで、操作性、表示部の視認性を好適に保つ手段を実現している画像形成装置が開示された文献がある（例えば、特許文献２参照）。
【０００６】
また、操作パネルの向きを変更する変更機構により、どのような身長の操作者に対しても快適な使用性を実現しているユーザインタフェース装置が開示された文献がある（例えば、特許文献３参照）。
【特許文献１】特開２００４−３８０９４号公報
【特許文献２】特開２０００−１５８９１号公報
【特許文献３】特開２００２−３６１９６８号公報
【発明の開示】
【発明が解決しようとする課題】
【０００７】
しかしながら、上記特許文献１〜３に開示された技術は、全て機械的な構造によって操作性の向上を実現しているものであり、ソフトウェア的な処理により操作性の向上を実現することについては何ら考慮されたものではない。
【０００８】
本発明は、上記事情に鑑みてなされたものであり、ソフトウェア的な処理により操作性の向上を実現する画像形成装置、情報処理装置、表示処理方法及び表示処理プログラムを提供することを目的とするものである。
【課題を解決するための手段】
【０００９】
かかる目的を達成するために、本発明は以下の特徴を有することとする。
【００１０】
本発明にかかる画像形成装置は、情報の入力の受付け、及び、情報の出力表示の少なくとも一方を行う情報入出力部を表示画面に表示する際の表示位置を特定するための表示位置情報を記憶する表示位置情報記憶手段と、表示位置情報を設定する設定手段と、設定手段により設定された表示位置情報を、表示位置情報記憶手段に登録し、表示位置情報記憶手段に記憶された表示位置情報を基に、表示画面に表示する情報入出力部の表示位置を特定し、該特定した表示位置に情報入出力部を表示する表示手段と、を有することを特徴とするものである。
【００１１】
また、本発明にかかる情報処理装置は、情報の入力の受付け、及び、情報の出力表示を行う情報入出力部を表示画面に表示する際の表示位置を特定するための表示位置情報を記憶する表示位置情報記憶手段と、表示位置情報を設定する設定手段と、設定手段により設定された表示位置情報を、表示位置情報記憶手段に登録し、表示位置情報記憶手段に記憶された表示位置情報を基に、表示画面に表示する情報入出力部の表示位置を特定し、該特定した表示位置に情報入出力部を表示する表示手段と、を有することを特徴とするものである。
【００１２】
また、本発明にかかる表示処理方法は、情報の入力の受付け、及び、情報の出力表示の少なくとも一方を行う情報入出力部を表示画面に表示する際の表示位置を特定するための表示位置情報を記憶する表示位置情報記憶手段と、表示位置情報を設定する設定手段と、を有する画像形成装置で行う表示処理方法であって、設定手段により設定された表示位置情報を、表示位置情報記憶手段に登録し、表示位置情報記憶手段に記憶された表示位置情報を基に、表示画面に表示する情報入出力部の表示位置を特定し、該特定した表示位置に情報入出力部を表示する表示工程を、画像形成装置が行うことを特徴とするものである。
【００１３】
また、本発明にかかる表示処理方法は、情報の入力の受付け、及び、情報の出力表示を行う情報入出力部を表示画面に表示する際の表示位置を特定するための表示位置情報を記憶する表示位置情報記憶手段と、表示位置情報を設定する設定手段と、を有する情報処理装置で行う表示処理方法であって、設定手段により設定された表示位置情報を、表示位置情報記憶手段に登録し、表示位置情報記憶手段に記憶された表示位置情報を基に、表示画面に表示する情報入出力部の表示位置を特定し、該特定した表示位置に情報入出力部を表示する表示工程を、情報処理装置が行うことを特徴とするものである。
【００１４】
また、本発明にかかる表示処理プログラムは、情報の入力の受付け、及び、情報の出力表示の少なくとも一方を行う情報入出力部を表示画面に表示する際の表示位置を特定するための表示位置情報を記憶する表示位置情報記憶手段と、表示位置情報を設定する設定手段と、を有する画像形成装置で実行させる表示処理プログラムであって、設定手段により設定された表示位置情報を、表示位置情報記憶手段に登録し、表示位置情報記憶手段に記憶された表示位置情報を基に、表示画面に表示する情報入出力部の表示位置を特定し、該特定した表示位置に情報入出力部を表示する表示処理を、画像形成装置に実行させることを特徴とするものである。
【００１５】
また、本発明にかかる表示処理プログラムは、情報の入力の受付け、及び、情報の出力表示を行う情報入出力部を表示画面に表示する際の表示位置を特定するための表示位置情報を記憶する表示位置情報記憶手段と、表示位置情報を設定する設定手段と、を有する情報処理装置で実行させる表示処理プログラムであって、設定手段により設定された表示位置情報を、表示位置情報記憶手段に登録し、表示位置情報記憶手段に記憶された表示位置情報を基に、表示画面に表示する情報入出力部の表示位置を特定し、該特定した表示位置に情報入出力部を表示する表示処理を、情報処理装置に実行させることを特徴とするものである。
【発明の効果】
【００１６】
本発明によれば、情報の入力の受付け、及び、情報の出力表示を行う情報入出力部、または、情報の入力の受付け、及び、情報の出力表示の少なくとも一方を行う情報入出力部を表示画面に表示する際の表示位置を特定するための表示位置情報を記憶する表示位置情報記憶手段と、表示位置情報を設定する設定手段と、を有し、設定手段により設定された表示位置情報を、表示位置情報記憶手段に登録し、表示位置情報記憶手段に記憶された表示位置情報を基に、表示画面に表示する情報入出力部の表示位置を特定し、該特定した表示位置に情報入出力部を表示することを特徴とするものである。これにより、ソフトウェア的な処理により、情報入出力部を表示画面に自由に表示させ、操作性の向上を実現することが可能となる。
【発明を実施するための最良の形態】
【００１７】
まず、図１、図５を参照しながら、本実施形態における画像形成装置の特徴について説明する。
【００１８】
本発明にかかる画像形成装置は、情報の入力の受付け、及び、情報の出力表示の少なくとも一方を行う情報入出力部を表示画面『操作パネル（７）に相当』に表示する際の表示位置を特定するための表示位置情報を記憶する表示位置情報記憶手段『ＲＡＭ（３）に相当』と、表示位置情報を設定する設定手段『パネル制御部（８）に相当』と、設定手段（８）により設定された表示位置情報を、表示位置情報記憶手段（３）に登録し、表示位置情報記憶手段（３）に記憶された表示位置情報を基に、表示画面（７）に表示する情報入出力部の表示位置を特定し、該特定した表示位置に情報入出力部を表示する表示手段『パネル制御部（８）に相当』と、を有することを特徴とするものである。これにより、ソフトウェア的な処理により情報入出力部を表示画面（７）上で自由に表示させることが可能となり、アクセシビリティの高いユーザインタフェースを実現することになる。なお、設定手段（８）により設定された表示位置情報を、表示位置情報記憶手段（３）に登録し、表示位置情報記憶手段（３）に記憶された表示位置情報を基に、表示画面（７）に表示する情報入出力部の表示位置を特定する場合としては、設定手段（８）により設定された表示位置情報を基に、表示位置情報記憶手段（３）に記憶されている表示位置情報を上書きし、該上書きした表示位置情報を基に、表示画面（７）に表示する情報入出力部の表示位置を特定したり、設定手段（８）により設定された表示位置情報を、表示位置情報記憶手段（３）に追加し、表示位置情報記憶手段（３）に記憶されている最新の表示位置情報を基に、表示画面（７）に表示する情報入出力部の表示位置を特定したりすることも可能である。以下、添付図面を参照しながら、本実施形態における画像形成装置について説明する。
【００１９】
（第１の実施形態）
まず、図１を参照しながら、本実施形態の画像形成装置について説明する。
【００２０】
本実施形態における画像形成装置は、図１に示すように、ＣＰＵ（１）と、ＲＯＭ（２）と、ＲＡＭ（３）と、ＮＶＲＡＭ（４）と、モデム（５）と、ホストＩ／Ｆ（６）と、操作パネル（７）と、パネル制御部（８）と、スキャン／プリントエンジン（９）と、エンジン制御部（１０）と、記憶装置（１１）と、ディスクドライバ（１２）と、通信制御部（１３）と、を有して構成される。
【００２１】
ＣＰＵ（１）は、ＲＯＭ（２）に格納された制御プログラムに基づくソフトウェア処理により各部（２）〜（１３）を統括制御するための制御処理を行うことで、本実施形態における画像形成装置としての動作を実現するものである。
【００２２】
ＲＯＭ（２）は、各種プログラム、フォント、及びその他の静的なデータを格納するものである。ＲＡＭ（３）は、一時的にデータを記憶するものである。ＮＶＲＡＭ（４）は、不揮発性のデータを格納するものである。
【００２３】
モデム（５）は、公衆回線と接続し、外部機器との通信を行うものである。ホストＩ／Ｆ（６）は、セントロニクスやＲＳ−２３２Ｃ等のインターフェイスを適用し、ホストとなる外部機器との通信を行うものである。
【００２４】
操作パネル（７）とパネル制御部（８）とは、画像形成装置を利用する操作者とのインターフェイスを司るものであり、操作パネル（７）は、画像形成装置を使用する際の操作情報を入力したり、出力したりするものである。なお、本実施形態の画像形成装置に適用可能な操作パネル（７）としては、図２に示すような大型の操作パネル（７）を搭載することが好ましい。これにより、情報の入力の受付け、及び、情報の出力表示の少なくとも一方を行う『情報入出力部』を操作パネル（７）の表示画面上で自由に表示することが可能となるため、操作者に対する操作性の向上を実現することが可能となる。なお、操作パネル（７）の表示画面上に表示する『情報入出力部』の情報は、ＲＡＭ（３）内に格納し、『情報入出力部』を操作パネル（７）の表示画面上に表示させるための表示要求が行われた際に、その表示要求が行われた『情報入出力部』の情報をＲＡＭ（３）内から読み出し、該読み出した『情報入出力部』の情報を解析し、その解析結果を基に、『情報入出力部』を操作パネル（７）の表示画面上に表示することになる。
【００２５】
スキャン／プリントエンジン（９）とエンジン制御部（１０）とは、イメージデータの入出力ユニットとして、紙原稿の読取処理と転写紙への印刷処理を実行するものである。
【００２６】
記憶装置（１１）とディスクドライバ（１２）とは、大量のイメージデータなどを蓄積するものである。
【００２７】
通信制御部（１３）は、イーサネット（登録商標）等のネットワークに接続され、外部機器との通信を制御するものである。
【００２８】
次に、図３を参照しながら、本実施形態における画像形成装置のソフトウェア構成について説明する。
【００２９】
本実施形態における画像形成装置は、図３に示すように、白黒ラインプリンタ：Ｂ＆Ｗ ＬＰ（２０１）と、カラーラインプリンタ：Ｃｏｌｏｒ ＬＰ（２０２）と、スキャナ、ファクシミリなどのハードウェアリソース（２０３）などを有すると共に、プラットホーム（２２０）と、アプリケーション（２３０）と、から構成されるソフトウェア群（２１０）を有して構成される。
【００３０】
プラットホーム（２２０）は、アプリケーションからの処理要求を解釈してハードウェア資源の獲得要求を発生させるコントロールサービスと、１または複数のハードウェア資源の管理を行い、コントロールサービスからの獲得要求を調停するシステムリソースマネージャ：ＳＲＭ（２２３）と、汎用ＯＳ（２２１）と、を有する。
【００３１】
コントロールサービスは、複数のサービスモジュールから形成され、システムコントロールサービス：ＳＣＳ（２２２）と、エンジンコントロールサービス：ＥＣＳ（２２４）と、メモリコントロールサービス：ＭＣＳ（２２５）と、オペレーションパネルコントロールサービス：ＯＣＳ（２２６）と、ファックスコントロールサービス：ＦＣＳ（２２７）と、ネットワークコントロールサービス：ＮＣＳ（２２８）と、を有して形成される。
【００３２】
なお、プラットホーム（２２０）は、予め定義された関数によりアプリケーション（２３０）から処理要求を受信可能とするアプリケーションプログラムインタフェース（ＡＰＩ）を有する。
【００３３】
汎用ＯＳ（２２１）は、ＵＮＩＸ（登録商標）などの汎用オペレーティングシステムであり、プラットホーム（２２０）、アプリケーション（２３０）の各ソフトウェアをそれぞれプロセスとして並列実行する。
【００３４】
ＳＲＭ（２２３）のプロセスは、ＳＣＳ（２２２）と共にシステムの制御およびリソースの管理を行う。ＳＲＭ（２２３）のプロセスは、図１に示すスキャン／プリントエンジン（９）、ＲＯＭ（２）、記憶装置（１１）、ホストＩ／Ｆ（６）などのハードウェア資源を利用する上位層からの要求に従って調停を行い、実行制御する。
【００３５】
具体的には、ＳＲＭ（２２３）は、要求されたハードウェア資源が利用可能であるか否か（他の要求により利用されていないか否か）を判断し、ハードウェア資源が利用可能であればその要求されたハードウェア資源が利用可能である旨を上位層に伝えることになる。
【００３６】
また、ＳＲＭ（２２３）は、上位層からの要求に対してハードウェア資源の利用スケジューリングを行い、要求内容（例えば、スキャン／プリントエンジン（９）により紙搬送と作像動作、メモリ確保、ファイル生成など）を直接実施する。
【００３７】
なお、ＳＣＳ（２２２）のプロセスは、アプリ管理、操作部制御、システム画面表示、ＬＥＤ表示、リソース管理、割り込みアプリ制御を行う。
【００３８】
ＥＣＳ（２２４）のプロセスは、白黒ラインプリンタ：Ｂ＆Ｗ ＬＰ（２０１）、カラーラインプリンタ：Ｃｏｌｏｒ ＬＰ（２０２）、スキャナ、ファクシミリなどからなるハードウェアリソース（２０３）のエンジン制御を行う。
【００３９】
ＭＣＳ（２２５）のプロセスは、画像メモリの取得および解放、記憶装置（１１）の利用、画像データの圧縮および伸張などを行う。
【００４０】
ＯＣＳ（２２６）のプロセスは、オペレータと本体制御間の情報伝達となる操作パネル（７）の制御を行う。
【００４１】
ＦＣＳ（２２７）のプロセスは、システムコントローラの各アプリ層からＰＳＴＮ／ＩＳＤＮ網を利用したファクシミリ送受信、ＢＫＭ（バックアップＳＲＡＭ）で管理されている各種ファクシミリデータの登録／引用、ファクシミリ読み取り、ファクシミリ受信印刷、融合送受信を行うためのＡＰＩを提供する。
【００４２】
ＮＣＳ（２２８）は、通信制御部（１３）を必要とするアプリケーションに対して共通に利用できるサービスを提供するためのプロセスであり、ネットワーク側から各プロトコルによって受信したデータを各アプリケーションに振り分けたり、アプリケーションからデータをネットワーク側に送信したりする際の仲介を行う。
【００４３】
アプリケーション（２３０）は、プリンタ、コピー、スキャナまたはファクシミリなどの画像形成処理にかかるユーザサービスにそれぞれ固有の処理を行う。アプリケーション（２３０）は、ページ記述言語（ＰＤＬ）、ＰＣＬおよびポストスクリプト（ＰＳ）を有するプリンタ用のアプリケーションであるプリンタアプリ（２１１）と、コピー用アプリケーションであるコピーアプリ（２１２）と、ファクシミリ用アプリケーションであるファックスアプリ（２１３）と、スキャナ用アプリケーションであるスキャナアプリ（２１４）と、ネットワークファイル用アプリケーションであるネットファイルアプリ（２１５）と、工程検査用アプリケーションである工程検査アプリ（２１６）と、を有している。
【００４４】
このように、本実施形態における画像形成装置は、複数のアプリケーション（２３０）、および、複数のコントロールサービスが存在し、何れもプロセスとして動作する。そして、コントロールサービスがアプリケーション（２３０）に対し、共通サービスを提供しており、このため、これらの多数のプロセスが並列動作、および、スレッドの並列動作を行い、互いにプロセス間通信を行って協調動作をしながら、コピー、プリンタ、スキャナ、ファクシミリなどの画像形成処理にかかるユーザサービスを提供することになる。
【００４５】
また、画像形成装置は、サードベンダなどの第３者がコントロールサービス層上のアプリケーション層に新規なアプリケーションを開発して搭載することが可能となるように構築されている。
【００４６】
次に、図４、図５を参照しながら、本実施形態の画像形成装置に適用される図３に示すＯＳＣ（２２６）での処理動作について説明する。
【００４７】
まず、『情報入出力部』を操作パネル（７）の表示画面上に表示させるための表示要求が行われた際に、その表示要求が行われた『情報入出力部』の情報をＲＡＭ（３）内から読み出し、該読み出した『情報入出力部』の情報を解析し、該解析した『情報入出力部』の表示モードが、『全画面モード』か『移動画面モード』かを判断する（ステップＳ１）。
【００４８】
なお、表示モードとは、情報の入力の受付け、及び、情報の出力表示の少なくとも一方を行う『情報入出力部』を、操作パネル（７）の表示画面上に表示する際の表示形態を示すものであり、ＲＡＭ（３）から読み出した『情報入出力部』の表示モードが『全画面モード』の場合には、図５（ｃ）に示す表示領域の『情報入出力部』を操作パネル（７）の表示画面上に表示し、『情報入出力部』の表示モードが『移動画面モード』の場合には、図５（ａ），（ｂ）に示す表示領域の『情報入出力部』を、ＲＡＭ（３）内に格納されている表示位置情報を基に操作パネル（７）の表示画面上に表示することになる。
【００４９】
なお、図５（ａ）、（ｂ）、（ｃ）に示す『情報入出力部』は何れも、情報の入力を受付けるためのボタンの位置や、情報を出力するための表示領域が異なるのみで、同一の機能を有して構成されることになる。これにより、情報の入力の受付け、及び、情報の出力表示の少なくとも一方を行う『情報入出力部』を、操作パネル（７）の表示画面上で操作者の所望する表示位置に表示することが可能となり、アクセシビリティの高いユーザインタフェースを実現することが可能となる。
【００５０】
なお、ステップＳ１において、表示要求が行われた『情報入出力部』の表示モードが、『全画面モード』と判断した場合には（ステップＳ１／全画面モード）、『全画面モード』に従って操作パネル（７）の表示画面上に表示する『情報入出力部』の表示領域の大きさを決定し（ステップＳ２）、該決定した表示領域の大きさで、操作パネル（７）の表示画面上に『情報入出力部』を表示することになる（ステップＳ３）。
【００５１】
これにより、図５（ｃ）に示す表示領域の『情報入出力部』が操作パネル（７）の表示画面上に表示されることになる。
【００５２】
次に、操作パネル（７）の表示画面上に表示された『情報入出力部』の表示モードの変更要求があったか否かを判断し（ステップＳ４）、表示モードの変更要求があったと判断した場合には（ステップＳ４／Ｙｅｓ）、その変更要求が『全画面モード』か『移動画面モード』かを判断することになる（ステップＳ１）。なお、表示モードの変更要求がないと判断した場合には（ステップＳ４／Ｎｏ）、表示制御処理を終了することになる。
【００５３】
また、ステップＳ１において、表示要求が行われた『情報入出力部』の表示モードが、『移動画面モード』と判断した場合は（ステップＳ１／移動画面モード）、『移動画面モード』に従って、『情報入出力部』を操作パネル（７）の表示画面上に表示する際の表示領域情報をＲＡＭ（３）から取得し、該取得した表示領域情報を基に、『情報入出力部』を操作パネル（７）の表示画面上に表示する際の表示領域の大きさを決定する（ステップＳ５）。次に、『移動画面モード』に従って、操作パネル（７）の表示画面上で『情報入出力部』を表示する際の表示位置情報をＲＡＭ（３）から取得し、該取得した表示位置情報を基に、『情報入出力部』を操作パネル（７）の表示画面上に表示する際の表示位置を決定し（ステップＳ６）、その決定した表示位置に『情報入出力部』を表示することになる（ステップＳ７）。
【００５４】
これにより、図５（ａ），（ｂ）に示す表示状態の『情報入出力部』が操作パネル（７）の表示画面上に表示されることになる。
【００５５】
なお、『情報入出力部』を操作パネル（７）の表示画面上に表示する際の表示位置を決定するための情報は、『移動画面モード』に予め設定されており、『移動画面モード』に従って、操作パネル（７）の表示画面上で『情報入出力部』を表示する際の表示位置情報をＲＡＭ（３）から取得し、該取得した表示位置情報を基に、『情報入出力部』を操作パネル（７）の表示画面上に表示する際の表示位置を決定することになる。なお、『情報入出力部』を操作パネル（７）の表示画面上に表示する際の表示位置情報は、操作者が任意に設定することが可能であり、操作者が任意に設定するまでは、操作パネル（７）の表示画面上の中央の表示位置を表示位置情報（初期位置情報）としてＲＡＭ（３）内に格納しているものとする。
【００５６】
次に、操作パネル（７）の表示画面上に表示された『情報入出力部』の移動要求操作が行われたか否かを判断し（ステップＳ８）、『情報入出力部』の移動要求操作が行われたと判断した場合には（ステップＳ８／Ｙｅｓ）、その移動要求操作が行われた移動位置を決定し（ステップＳ９）、該決定した移動位置に『情報入出力部』を表示することになる（ステップＳ７）。
【００５７】
また、『情報入出力部』の移動要求操作が行われていないと判断した場合には（ステップＳ８／Ｎｏ）、操作パネル（７）の表示画面上に表示された『情報入出力部』の表示モードの変更要求があったか否かを判断し（ステップＳ４）、上述した処理を行うことになる。
【００５８】
このように、本実施形態における画像形成装置は、情報の入力の受付け、及び、情報の出力表示の少なくとも一方を行う『情報入出力部』の表示要求が行われた際に、該表示要求が行われた『情報入出力部』の情報をＲＡＭ（３）から読み出し、該読み出した『情報入出力部』の情報を基に、その『情報入出力部』を操作パネル（７）の表示画面上に表示する際の表示モードを決定し、該決定した表示モードに従って『情報入出力部』を操作パネル（７）の表示画面上に表示することで、『情報入出力部』を操作パネル（７）の表示画面上で自由に表示することが可能となる。これにより、アクセシビリティの高いユーザインタフェースを実現することになる。
【００５９】
（第２の実施形態）
次に、第２の実施形態について説明する。
【００６０】
第２の実施形態における画像形成装置は、情報の入力の受付け、及び、情報の出力表示を行う『情報入出力部』を操作パネル（７）の表示画面上に表示する際の表示位置を特定するための表示位置情報が設定された際に、該設定された表示位置情報を、ＲＡＭ（３）内に登録し、そのＲＡＭ（３）内に記憶された表示位置情報を基に、操作パネル（７）の表示画面に表示する『情報入出力部』の表示位置を特定し、該特定した表示位置に『情報入出力部』を表示することを特徴とするものである。これにより、操作パネル（７）の表示画面上に表示された『情報入出力部』を表示画面上で操作者の所望する任意の表示位置に自由に表示させることが可能となる。以下、図６を参照しながら、第２の実施形態における画像形成装置について説明する。
【００６１】
まず、図６（ａ）に示すように操作パネル（７）の表示画面上の右上領域に『情報入出力部』が表示されている状態において、『情報入出力部』が表示されていない左下の非表示領域を操作者が押下する等して、図６（ａ）に示す『情報入出力部』が表示された第１の表示位置とは異なる第２の表示位置に表示させるための第２の表示位置『表示位置』を指定することになる。これにより、画像形成装置は、操作パネル（７）の表示画面上に表示されている『情報入出力部』を表示するための『表示位置』の変更要求が操作パネル（７）の表示画面上から行われたと判断し、操作パネル（７）の表示画面上から指定された『表示位置』の表示位置情報を、ＲＡＭ（３）内に登録し、そのＲＡＭ（３）内に記憶された表示位置情報を基に、『情報入出力部』を表示する際の表示画面の表示位置を特定し、該特定した表示位置に『情報入出力部』を表示し、図６（ｂ）に示すように操作パネル（７）の表示画面上の左下領域に『情報入出力部』を表示することになる。
【００６２】
なお、『情報入出力部』が表示された第１の表示位置とは異なる第２の表示位置に表示させるための第２の表示位置『表示位置』は、図６（ａ）に示すように、『情報入出力部』が表示されていない左下の非表示領域としたが、第２の表示位置『表示位置』は、非表示領域に限定されるものではなく、『情報入出力部』が表示されている表示領域でもよく、第１の表示位置と、第２の表示位置と、が異なる表示位置であれば、操作パネル（７）の表示画面上に表示されている『情報入出力部』を表示するための『表示位置』の変更要求が操作パネル（７）の表示画面上から行われたと判断し、操作パネル（７）の表示画面上から指定された『表示位置』の表示位置情報を、ＲＡＭ（３）内に登録し、ＲＡＭ（３）内に記憶された表示位置情報を基に、『情報入出力部』を表示する際の表示画面の表示位置を特定し、該特定した表示位置に『情報入出力部』を表示することも可能である。
【００６３】
なお、操作パネル（７）の表示画面上から指定された『表示位置』の表示位置情報を、ＲＡＭ（３）に登録し、そのＲＡＭ（３）内に記憶された表示位置情報を基に、操作パネル（７）の表示画面上に表示する『情報入出力部』の表示位置を特定する場合としては、操作パネル（７）の表示画面上から指定された表示位置情報を基に、ＲＡＭ（３）に記憶されている表示位置情報を上書きし、該上書きした表示位置情報を基に、操作パネル（７）の表示画面上に表示する『情報入出力部』の表示位置を特定したり、操作パネル（７）の表示画面上から指定された表示位置情報を、ＲＡＭ（３）内に追加し、ＲＡＭ（３）内に記憶されている最新の表示位置情報を基に、操作パネル（７）の表示画面上に表示する『情報入出力部』の表示位置を特定したりすることも可能である。
【００６４】
また、表示画面上から指定された『表示位置』に『情報入出力部』を表示する際には、その指定された『表示位置』に表示することになる『情報入出力部』が操作パネル（７）の表示画面上の範囲内で表示できるようにすることが好ましい。例えば、図６（ｂ）に示すように操作パネル（７）の表示画面上の左領域に『情報入出力部』を表示する場合には、その図６（ｂ）に示す『情報入出力部』が表示されることになる図６（ａ）に示す点線の範囲内で『表示位置』が指定された際に、該指定された『表示位置』と、その『表示位置』に表示されることになる『情報入出力部』の表示領域と、の情報を基に、図６（ｂ）に示すように操作パネル（７）の表示画面上の範囲内で『情報入出力部』が表示されるように表示位置を変更し、該変更した表示位置に『情報入出力部』を表示させるようにすることになる。なお、上記処理は、図４に示すステップＳ８の『移動要求』に相当する処理を行うことになる。
【００６５】
このように、第２の実施形態における画像形成装置は、情報の入力の受付け、及び、情報の出力表示の少なくとも一方を行う『情報入出力部』を操作パネル（７）の表示画面上に表示した際の第１の表示位置とは異なる第２の表示位置『表示位置』が指定された際に、該指定された第２の表示位置『表示位置』の表示位置情報を、ＲＡＭ（３）内に記憶し、そのＲＡＭ（３）内に記憶した表示位置情報を基に、『情報入出力部』を操作パネル（７）の表示画面上に表示する際の表示位置を特定し、該特定した表示位置に『情報入出力部』を表示することで、より直感的でアクセシビリティの高いユーザインタフェースを実現することが可能となる。
【００６６】
（第３の実施形態）
次に、第３の実施形態について説明する。
【００６７】
第３の実施形態における画像形成装置は、『情報入出力部』を操作パネル（７）の表示画面上に表示した際の表示状態をＲＡＭ（３）に記憶し、『情報入出力部』を操作パネル（７）の表示画面上に表示させるための表示要求が行われた際に、その表示要求が行われた『情報入出力部』を、ＲＡＭ（３）内に記憶した表示状態で操作パネル（７）の表示画面上に表示することを特徴とするものである。これにより、画像形成装置の操作パネル（７）の表示画面上に一度表示した『情報入出力部』の表示状態をＲＡＭ（３）内に記憶し、『情報入出力部』を表示画面に再度表示する際に、ＲＡＭ（３）内に記憶した表示状態を基に、操作パネル（７）の表示画面上に『情報入出力部』を表示することになるため、操作パネル（７）の表示画面上に表示される『情報入出力部』の利便性を向上させることが可能となる。なお、表示状態とは、『情報入出力部』を操作パネル（７）の表示画面上に表示させる際の表示位置を示す表示位置情報や、『情報入出力部』を表示画面上に表示する際の表示領域を示す表示領域情報などの表示情報が挙げられる。以下、図７を参照しながら、第３の実施形態における画像形成装置について説明する。
【００６８】
まず、『情報入出力部』を操作パネル（７）の表示画面上に表示させるための表示要求が行われた際に、その表示要求が行われた『情報入出力部』の情報をＲＡＭ（３）内から読み出し、該読み出した『情報入出力部』の情報を解析し、表示要求が行われた『情報入出力部』を、操作パネル（７）の表示画面上に表示させる際の表示位置を示す表示位置情報や、その『情報入出力部』を、操作パネル（７）の表示画面上に表示させる際の表示領域を示す表示領域情報などの表示情報が画像形成装置のＲＡＭ（３）内に記憶されているか否かを判断し（ステップＳ１１）、ＲＡＭ（３）内に表示情報が記憶されていないと判断した場合には（ステップＳ１１／Ｎｏ）、ＲＡＭ（３）内から読み出した『情報入出力部』の表示モードが、『全画面モード』か『移動画面モード』かを判断する（ステップＳ１２）。
【００６９】
そして、ＲＡＭ（３）内から読み出した『情報入出力部』の表示モードが、『全画面モード』と判断した場合には（ステップＳ１２／全画面モード）、『全画面モード』に従って操作パネル（７）の表示画面上に表示する『情報入出力部』の表示領域の大きさを決定し（ステップＳ１３）、該決定した表示領域の大きさで、操作パネル（７）の表示画面上に『情報入出力部』を表示することになる（ステップＳ１４）。
【００７０】
これにより、図５（ｃ）に示す表示領域の『情報入出力部』が操作パネル（７）の表示画面上に表示されることになる。
【００７１】
次に、操作パネル（７）の表示画面上に表示された『情報入出力部』の表示モードの変更要求があったか否かを判断し（ステップＳ１５）、表示モードの変更要求があったと判断した場合には（ステップＳ１５／Ｙｅｓ）、その変更要求が『全画面モード』か『移動画面モード』かを判断することになる（ステップＳ１２）。なお、表示モードの変更要求がないと判断した場合には（ステップＳ１５／Ｎｏ）、上記処理により操作パネル（７）の表示画面上に表示した『情報入出力部』の表示位置を示す表示位置情報や表示領域を示す表示領域情報などの表示情報をＲＡＭ（３）内に記憶し（ステップＳ１６）、表示制御処理を終了することになる。
【００７２】
また、ステップＳ１２において、ＲＡＭ（３）から読み出した『情報入出力部』の表示モードが、『移動画面モード』と判断した場合は（ステップＳ１２／移動画面モード）、『移動画面モード』に従って、『情報入出力部』を操作パネル（７）の表示画面上に表示する際の表示領域情報をＲＡＭ（３）から取得し、該取得した表示領域情報を基に、『情報入出力部』を操作パネル（７）の表示画面上に表示する際の表示領域の大きさを決定する（ステップＳ１７）。次に、『移動画面モード』に従って、操作パネル（７）の表示画面上で『情報入出力部』を表示する際の表示位置情報をＲＡＭ（３）から取得し、該取得した表示位置情報を基に、『情報入出力部』を操作パネル（７）の表示画面上に表示する際の表示位置を決定し（ステップＳ１８）、その決定した表示位置に『情報入出力部』を表示することになる（ステップＳ１９）。
【００７３】
これにより、図５（ａ），（ｂ）に示す表示状態の『情報入出力部』が操作パネル（７）の表示画面上に表示されることになる。
【００７４】
次に、操作パネル（７）の表示画面上に表示された『情報入出力部』の移動要求操作が行われたか否かを判断し（ステップＳ２０）、『情報入出力部』の移動要求操作が行われたと判断した場合には（ステップＳ２０／Ｙｅｓ）、その移動要求操作が行われた移動位置を決定し（ステップＳ２１）、該決定した移動位置に『情報入出力部』を表示することになる（ステップＳ１９）。
【００７５】
また、『情報入出力部』の移動要求操作が行われていないと判断した場合には（ステップＳ２０／Ｎｏ）、表示モードの変更要求があったか否かを判断し（ステップＳ１５）、上述した処理を行うことになる。
【００７６】
また、ステップＳ１１において、ＲＡＭ（３）内から読み出した『情報入出力部』に関する表示情報がＲＡＭ（３）内に記憶されている場合には（ステップＳ１１／Ｙｅｓ）、そのＲＡＭ（３）内に記憶されている表示情報を基に、操作パネル（７）の表示画面上に『情報入出力部』を表示することになる。
【００７７】
そして、ＲＡＭ（３）内に記憶されている表示情報を基に操作パネル（７）の表示画面上に表示した『情報入出力部』が『全画面モード』か『移動画面モード』かを判断し（ステップＳ２３）、操作パネル（７）の表示画面上に表示した『情報入出力部』が、『全画面モード』と判断した場合には（ステップＳ２３／全画面モード）、操作パネル（７）の表示画面上に表示した『情報入出力部』の表示モードの変更要求があったか否かを判断することになる（ステップＳ１５）。
【００７８】
また、操作パネル（７）の表示画面上に表示した『情報入出力部』が、『移動画面モード』と判断した場合には（ステップＳ２３／移動画面モード）、操作パネル（７）の表示画面上に表示された『情報入出力部』の移動要求操作が行われたか否かを判断することになる（ステップＳ２０）。
【００７９】
このように、本実施形態における画像形成装置は、情報の入力の受付け、及び、情報の出力表示の少なくとも一方を行う『情報入出力部』を操作パネル（７）の表示画面上で表示した際の、表示位置や表示領域などの表示情報を、表示制御処理を終了する前に、ＲＡＭ（３）内に記憶し、再度、『情報入出力部』の表示制御処理を開始した際に、その表示制御処理を開始した『情報入出力部』の表示情報がＲＡＭ（３）内に格納されているか否かを判断し、表示情報がＲＡＭ（３）内に格納されていると判断した場合には、そのＲＡＭ（３）内に格納されている表示情報を基に、操作パネル（７）の表示画面上に『情報入出力部』を表示することになる。これにより、例えば、操作パネル（７）の表示画面上に図５（ｂ）に示す『情報入出力部』が表示された状態で表示制御処理を終了した場合には、その図５（ｂ）に示す表示状態の『情報入出力部』の表示位置や表示領域などの表示情報がＲＡＭ（３）内に記憶されることになり、次回、その『情報入出力部』の表示制御処理を開始した際にも、図５（ｂ）に示す表示状態で操作パネル（７）の表示画面上に『情報入出力部』が表示されることになり、同一操作者の利用に対して利便性を向上させたユーザインタフェースを実現することが可能となる。
【００８０】
なお、上述する実施形態は、本発明の好適な実施形態であり、上記実施形態のみに本発明の範囲を限定するものではなく、本発明の要旨を逸脱しない範囲において種々の変更を施した形態での実施が可能である。例えば、上記実施形態における画像形成装置は、図１に示すように、パネル制御部（８）と、エンジン制御部（１０）と、が同じＣＰＵ資源（１）を用いて制御するように設計したシステム構成としたが、図８に示すように、パネル制御部（８）と、エンジン制御部（１１０）と、が別々のＣＰＵ資源（１、１０１）を用いて制御するように設計したシステム構成にすることも可能である。
【００８１】
また、上述した画像形成装置における処理動作は、ハード構成ではなく、コンピュータプログラム等のソフトウェアにより実行することも可能であり、また、上記のプログラムは、光記録媒体、磁気記録媒体、光磁気記録媒体、または半導体等の記録媒体に記録し、その記録媒体からプログラムを情報処理装置に読み込ませることで、上述した処理動作を情報処理装置において実行させることも可能である。また、所定のネットワークを介して接続されている外部機器からプログラムを情報処理装置に読み込ませることで、上述した処理動作を情報処理装置において実行させることも可能である。
【００８２】
また、上述した実施形態では、画像形成装置における処理動作について説明したが、本実施形態の画像形成装置における処理動作は、画像形成装置に限定されるものではなく、情報の入力の受付け、及び、情報の出力表示を行う情報入出力部を表示画面に表示する制御を行うあらゆる情報処理装置に対して適用することは可能である。
【産業上の利用可能性】
【００８３】
本実施形態における画像形成装置、情報処理装置、表示処理方法及び表示処理プログラムは、ＬＣＤやＣＲＴを使用した機器に適用可能であり、特に、大型の表示画面を搭載した家電機器に適用可能である。
【図面の簡単な説明】
【００８４】
【図１】本実施形態における画像形成装置の構成を示すブロック図である。
【図２】本実施形態の画像形成装置に搭載される操作パネル（７）の構成例を示す図である。
【図３】本実施形態の画像形成装置のソフトウェア構成を示す図である。
【図４】本実施形態の画像形成装置において実行される『パネル操作制御プログラム』の処理動作を示す図である。
【図５】本実施形態の画像形成装置に搭載される操作パネル（７）の表示画面に表示される『情報入出力部』の表示例を示す図である。
【図６】第２の実施形態の画像形成装置において実行される『パネル操作制プログラム』の処理動作を示す図である。
【図７】第３の実施形態の画像形成装置において実行される『パネル操作制御プログラム』の処理動作を示す図である。
【図８】本実施形態における画像形成装置の第２の構成例を示すブロック図である。
【符号の説明】
【００８５】
１、１０１    ＣＰＵ
２、１０２    ＲＯＭ
３、１０３    ＲＡＭ
４、１０４    ＮＶＲＡＭ
５、１０５    モデム
６、１０６    ホストＩ／Ｆ
７    操作パネル
８    パネル制御部
９、１０９    スキャン／プリントエンジン部
１０、１１０    エンジン制御部
１１、１１１    記憶装置
１２、１１２    ディスクドライバ
１３、１１３    通信制御部
２０１    Ｂ＆Ｗ  ＬＰ
２０２    Ｃｏｌｏｒ  ＬＰ
２０３    その他ハードウェアリソース
２１０    ソフトウェア群
２２０    プラットホーム
２３０    アプリケーション
２１１    プリンタアプリ
２１２    コピーアプリ
２１３    ファックスアプリ
２１４    スキャナアプリ
２１５    ネットファイルアプリ
２１６    工程検査アプリ
２２１    汎用ＯＳ
２２２    ＳＣＳ
２２３    ＳＲＭ
２２４    ＥＣＳ
２２５    ＭＣＳ
２２６    ＯＣＳ
２２７    ＦＣＳ
２２８    ＮＣＳ
【図１】
2007081977.tif 000003
【図２】
2007081977.tif 000004
【図３】
2007081977.tif 000005
【図４】
2007081977.tif 000006
【図５】
2007081977.tif 000007
【図６】
2007081977.tif 000008
【図７】
2007081977.tif 000009
【図８】
2007081977.tif 000010